(57)【要約】  サイクロン触媒ダクトのための実施形態および技法が一般的に開示される。
2013541373.tif 000002
【特許請求の範囲】
【請求項１】
サイクロン光触媒ダクトであって、
管状形の内側表面を有するメインボディと、
前記メインボディの前記内側表面上に配置されて、前記サイクロン光触媒ダクト内にサイクロン気流を引き起こすように構成された１つまたは複数の角度付き投入ノズルと、
前記メインボディの前記内側表面の少なくとも一部分を被覆する光触媒物質の層と、
前記メインボディの中に配置されて、前記光触媒物質の層の少なくとも一部分を照明するように適応された紫外線光源と
を含むサイクロン光触媒ダクト。
【請求項２】
前記紫外線光源は、前記メインボディの中に吊り下げられた蛍光管タイプの紫外線光源を含む、請求項１に記載のサイクロン光触媒ダクト。
【請求項３】
前記紫外線光源は、前記メインボディの前記内側表面に取り付けられた発光ダイオードタイプの紫外線光源を含む、請求項１に記載のサイクロン光触媒ダクト。
【請求項４】
前記メインボディの前記内側表面から延びる１つまたは複数の角度付き羽根をさらに含み、前記１つまたは複数の角度付き羽根は、前記サイクロン光触媒ダクト内のサイクロン気流を助けるように構成される、請求項１に記載のサイクロン光触媒ダクト。
【請求項５】
前記メインボディの前記内側表面から延びる１つまたは複数の角度付き羽根をさらに含み、前記紫外線光源は、前記１つまたは複数の角度付き羽根によって前記メインボディの中に吊り下げられた蛍光管タイプの紫外線光源を含む、請求項１に記載のサイクロン光触媒ダクト。
【請求項６】
前記メインボディの前記内側表面から延びる１つまたは複数の角度付き羽根をさらに含み、前記紫外線光源は、前記１つまたは複数の角度付き羽根によって前記メインボディの中に吊り下げられた発光ダイオードタイプの紫外線光源を含む、請求項１に記載のサイクロン光触媒ダクト。
【請求項７】
前記光触媒物質の層は、以下の化合物、すなわち二酸化チタン、酸化亜鉛、および酸化ナトリウムタンタルのうちの１つまたは複数を含む、請求項１に記載のサイクロン光触媒ダクト。
【請求項８】
前記紫外線光源は、以下のタイプの光源、すなわち、発光ダイオードタイプの紫外線光源、蛍光管タイプの紫外線光源、白熱電球タイプの紫外線光源、および蒸気ランプタイプの紫外線光源のうちの１つまたは複数を含む、請求項１に記載のサイクロン光触媒ダクト。
【請求項９】
前記メインボディは、前記１つまたは複数の角度付き投入ノズルに隣接して配置された閉端部および前記閉端部の反対側に配置された開端部を有する、請求項１に記載のサイクロン光触媒ダクト。
【請求項１０】
前記１つまたは複数の角度付き投入ノズルはそれぞれ、細長い開口部に直接隣接して配置された前記メインボディの前記内側表面の一部分に対してほぼ接線方向の気流を送るように調整された前記細長い開口部を有する、請求項１に記載のサイクロン光触媒ダクト。
【請求項１１】
給気ファンと、
前記給気ファンと流体連通して結合され、前記給気ファンの下流に配置されたサイクロン光触媒ダクトであって、
管状形の内側表面を有するメインボディと、
前記メインボディの前記内側表面上に配置されて、前記サイクロン光触媒ダクト内にサイクロン気流を引き起こすように構成された１つまたは複数の角度付き投入ノズルと、
前記メインボディの前記内側表面の少なくとも一部分を被覆する光触媒物質の層と、
前記メインボディの中に配置されて、前記光触媒物質の層の少なくとも一部分を照明するように適応された紫外線光源とを含むサイクロン光触媒ダクトと
を含む空気分配システム。
【請求項１２】
前記給気ファンと流体連通して結合され、前記給気ファンと屋外空気源との間に配置された１つまたは複数のフィルタをさらに含む、請求項１１に記載の空気分配システム。
【請求項１３】
前記空気分配システムに関連する揮発性有機化合物のレベルを検知するように構成された１つまたは複数のセンサと、
前記紫外線光源に関連する紫外線光レベルを調節し、および／または前記検知された揮発性有機化合物のレベルに少なくとも部分的に基づいて前記給気ファンに関連する気流を調節するように構成された制御ユニットと
をさらに含む、請求項１１に記載の空気分配システム。
【請求項１４】
前記サイクロン光触媒ダクトは、前記メインボディの前記内側表面から延びる１つまたは複数の角度付き羽根をさらに含み、前記１つまたは複数の角度付き羽根は、前記サイクロン光触媒ダクト内のサイクロン気流を助けるように構成される、請求項１１に記載の空気分配システム。
【請求項１５】
前記サイクロン光触媒ダクトは、前記メインボディの前記内側表面から延びる１つまたは複数の角度付き羽根をさらに含み、前記紫外線光源は、前記１つまたは複数の角度付き羽根によって前記メインボディの中に吊り下げられた蛍光管タイプの紫外線光源を含む、請求項１１に記載の空気分配システム。
【請求項１６】
前記メインボディの前記内側表面から延びる１つまたは複数の角度付き羽根をさらに含み、前記紫外線光源は、前記１つまたは複数の角度付き羽根によって前記メインボディの中に吊り下げられた発光ダイオードタイプの紫外線光源を含む、請求項１１に記載の空気分配システム。
【請求項１７】
前記紫外線光源は、以下のタイプの光源、すなわち、発光ダイオードタイプの紫外線光源、蛍光管タイプの紫外線光源、白熱電球タイプの紫外線光源、および蒸気ランプタイプの紫外線光源のうちの１つまたは複数を含む、請求項１１に記載の空気分配システム。
【請求項１８】
空気分配システムに関連する揮発性有機化合物のレベルを検知することと、
前記検知された揮発性有機化合物レベルを基準揮発性有機化合物レベルと比較することと、
前記検知された揮発性有機化合物レベルと前記基準揮発性有機化合物レベルの前記比較に少なくとも部分的に基づいてサイクロン光触媒ダクトに関連する紫外線光レベルを調節することと
を含む方法。
【請求項１９】
前記検知された揮発性有機化合物レベルと前記基準揮発性有機化合物レベルの前記比較に少なくとも部分的に基づいて前記サイクロン光触媒ダクトに関連する気流を調節することをさらに含む、請求項１８に記載の方法。
【請求項２０】
１つまたは複数のプロセッサによって実行される場合、コンピューティングデバイスが、
空気分配システムに関連する揮発性有機化合物のレベルを検知し、
前記検知された揮発性有機化合物レベルを基準揮発性有機化合物レベルと比較し、
前記検知された揮発性有機化合物レベルと前記基準揮発性有機化合物レベルの前記比較に少なくとも部分的に基づいてサイクロン光触媒ダクトに関連する紫外線光レベルを調節することを動作的に可能にする、そこに記憶されている機械可読命令を含む信号担持媒体
を含む製品。
【請求項２１】
前記コンピューティングデバイスが前記検知された揮発性有機化合物レベルと前記基準揮発性有機化合物レベルの前記比較に少なくとも部分的に基づいて前記サイクロン光触媒ダクトに関連する気流を調節することを動作的に可能にする、請求項２０に記載の製品。
【発明の詳細な説明】
【背景技術】
【０００１】
本明細書に別途明示されていない限り、本節に記載の手法は、本出願における請求項に対する先行技術ではなく、本節に含まれることによって先行技術であると認められない。
【０００２】
標準的家庭用または商用空気システムの文脈の中で光触媒空気浄化を利用する可能性を調べる研究が行われてきた。これらの研究のうちのいくつかは、典型的なフィルタ段階においてまたはその近くで光触媒作用にほとんど動かない空気を供給することに焦点を当ててきた。ほとんど動かない空気を使用する物理的な理由は、ランダムな空気作用がかなりの量の汚染物を中和するために十分な粒子を光触媒と十分接触させるには長い滞留時間が必要である可能性があることである。
【発明の概要】
【課題を解決するための手段】
【０００３】
本開示は、とりわけ、サイクロン触媒ダクトを実装することに関する方法、装置、およびシステムに対して作成される。
【０００４】
サイクロン光触媒ダクトに関するいくつかの例示的装置は、メインボディ、１つまたは複数の角度付き投入ノズル、光触媒物質の層、および紫外線光源を含んでよい。メインボディは、管状形の内側表面を有してよい。１つまたは複数の角度付き投入ノズルは、メインボディの内側表面上に配置されてよい。１つまたは複数の角度付き投入ノズルは、サイクロン光触媒ダクト内にサイクロン気流を引き起こすように構成されてよい。光触媒物質の層は、メインボディの内側表面の少なくとも一部分を被覆することができる。紫外線光源は、メインボディの中に配置されてよく、光触媒物質の層の少なくとも一部分を照明するように適応されてよい。
【０００５】
サイクロン光触媒ダクトに関するいくつかの例示的システムは、給気ファンおよびサイクロン光触媒ダクトを含んでよい。サイクロン光触媒ダクトは、給気ファンと流体連通して結合されてよく、給気ファンの下流に配置されてよい。サイクロン光触媒ダクトは、メインボディ、１つまたは複数の角度付き投入ノズル、光触媒物質の層、および紫外線光源を含んでよい。メインボディは、管状形の内側表面を有してよい。１つまたは複数の角度付き投入ノズルは、メインボディの内側表面上に配置されてよい。１つまたは複数の角度付き投入ノズルは、サイクロン光触媒ダクト内にサイクロン気流を引き起こすように構成されてよい。光触媒物質の層は、メインボディの内側表面の少なくとも一部分を被覆することができる。紫外線光源は、メインボディの中に配置されてよく、光触媒物質の層の少なくとも一部分を照明するように適応されてよい。
【０００６】
サイクロン光触媒ダクトの制御に関するいくつかの例示的方法は、空気分配システムに関連する揮発性有機化合物のレベルを検知することを含んでよい。検知された揮発性有機化合物レベルを基準揮発性有機化合物レベルと比較することができる。サイクロン光触媒ダクトに関連する紫外線光源レベルは、検知された揮発性有機化合物レベルと基準揮発性有機化合物レベルの比較に少なくとも部分的に基づいて調節され得る。
【０００７】
前述の概要は、例示的のみであり、決して限定的であることを意図するものではない。前述の例示的態様、実施形態、および特徴に加えて、図面および以下の詳細な説明を参照することによって、さらなる態様、実施形態、および特徴が明らかになるであろう。
【０００８】
主題は、本明細書の結論部分において具体的に示され、明確に請求される。本開示の前述のおよび他の特徴は、添付の図面に関連して行われる以下の説明および添付の特許請求の範囲からより十分に明らかになるであろう。これらの図面は、本開示によるいくつかの実施形態を示すのみであり、したがって、本開示の範囲を限定すると解釈されるべきではないことを理解した上で、本開示は、添付の図面を使用することによってさらに具体的かつ詳細に説明される。
【図面の簡単な説明】
【０００９】
【図１】サイクロン光触媒ダクトの例示的斜視図である。
【図２】図１の線２−２に沿って取ったサイクロン光触媒ダクトの例示的横断面斜視図である。
【図３】図１の線２−２に沿って取ったサイクロン光触媒ダクトの別の例示的横断面斜視図である。
【図４】図１の線２−２に沿って取ったサイクロン光触媒ダクトのさらに別の例示的横断面斜視図である。
【図５】サイクロン光触媒ダクトを含む例示的空気分配システムを示す図である。
【図６】空気分配システムの動作のための例示的プロセスを示す図である。
【図７】例示的コンピュータプログラム製品を示す図である。
【図８】すべて本開示の少なくともいくつかの実施形態に従って構成された例示的コンピューティングデバイスを示すブロック図である。
【発明を実施するための形態】
【００１０】
以下の説明では、本特許請求の主題の徹底的な理解を提供するために具体的な詳細と共に様々な実施例を説明する。しかし、特許請求の主題は、本明細書において開示される具体的な詳細のうちのいくつかまたはより多くのものなしで実行されてよいことが当業者によって理解されるであろう。さらに、状況によっては、よく知られている方法、手順、システム、構成要素、および／または回路は、本特許請求の主題を不必要に分かりにくくすることを回避するために、詳細には説明されていない。
【００１１】
以下の詳細な説明では、本明細書の一部を形成する添付の図面が参照される。これらの図面では、文脈が別途指示しない限り、通常、同様の符号は同様の構成要素を示す。詳細な説明、図面、および請求項に記載の例示的実施形態は、限定的であることを意味するものではない。本明細書で提示する主題の趣旨または範囲から逸脱することなく、他の実施形態を利用することができ、他の変更を行うことができる。本明細書で全体的に説明され諸図に示されている本開示の諸態様は、様々な異なる構成で構成、置換、結合、および設計されることが可能であり、それらはすべて明示的に企図され本開示の一部を成すことが容易に理解されるであろう。
【００１２】
本開示は、とりわけ、サイクロン触媒ダクトを実施することに関する方法、装置、およびシステムに対して作成される。
【００１３】
上記のように、いくつかの研究は、典型的なフィルタ段階においてまたはその近くで光触媒作用にほとんど動かない空気を供給することに焦点を当ててきた。以下でさらに詳細に論じられるように、気流を低減および／または妨害することなく、空気分配システムを通って進む空気の経路長を長くするための方法として、サイクロン気流を利用することができる。さらに、サイクロン気流を利用して、汚染物がダクトの内側を覆う光触媒物質と優先的に接触するのを促進することもできる。
【００１４】
例えば、サイクロン触媒ダクトを、サイクロン気流を引き起こすおよび／または維持するように調整および構成し、ならびにその内側を光触媒物質で覆うことができる。上記で論じられたように、そのようなサイクロン気流は、サイクロン触媒ダクトを通って進む空気の経路長を長くすることができる。例えば、ダクトの中を通る一直線の経路を進むのではなく、サイクロン気流は、サイクロン触媒ダクトの内側表面を繰返し回転することによって空気にサイクロン触媒ダクトの中を通るサイクロン経路を取らせることができる。
【００１５】
さらに、そのようなサイクロン触媒ダクトの内側を光触媒物質で覆うことができる。固定した光触媒物質は、表面現象として機能することができ、したがって、拡散によって粒子が光触媒物質に十分にぶつかるのを待つことは、長い時間または長い接触経路を必要とする可能性がある。上記で論じられたように、サイクロン気流は、汚染物がサイクロン触媒ダクトの内側表面を覆う光触媒物質と優先的に接触するのを促進することができる。例えば、ダクトの中心の近くにある汚染物はダクトの内側表面に接触する確率が低い可能性がある一直線の経路を進むのではなく、サイクロン気流は、空気にサイクロン触媒ダクトの中を通るサイクロン経路を取らせて、汚染物がサイクロン触媒ダクトの内側表面を覆う光触媒物質と優先的に接触するのを促進することができる。
【００１６】
さらに、そのようなサイクロン触媒ダクトは、紫外線光でサイクロン触媒ダクトを照明するように適応された紫外線光源を含んでよい。そのような紫外線光を利用してサイクロン触媒ダクトの内側表面を覆う光触媒物質を照明し、空気の質を改善することができる。例えば、光触媒物質および紫外線光を利用して、サイクロン触媒ダクトを通る空気に含まれている揮発性有機化合物（ＶＯＣ）（例えば、ホルムアルデヒドおよび他の有機汚染物質）の分解を促進することができる。例えば、そのようなＶＯＣは、カリフォルニア大気資源局（ＣＡＲＢ）によって承認された約５５０種類のＶＯＣのうちの１つまたは複数の種類のＶＯＣからの化合物を含んでよいがそれらに限定されない。さらに、光触媒物質および紫外線光の組合せは、バクテリアおよびウィルスなどのしかしそれらに限定されない空気伝染病原体を殺菌するばかりでなく、他のタイプの（一酸化炭素、硫酸塩、硝酸塩、および同様のものなどのしかしそれらに限定されない）空気伝播汚染物質を分解することもできる。
【００１７】
図１は、本開示の少なくともいくつかの実施形態に従って構成されたサイクロン光触媒ダクトの例示的斜視図である。例示した実施例では、サイクロン光触媒ダクト１００は、管状形のメインボディ１０２を含んでよい。メインボディ１０２は、閉端部１０４および開端部１０６を有してよい。開端部１０６は、閉端部１０４の反対側に配置されてよい。空気ダクトのサイズは、直径約４インチ（例えば小さい家で利用されるような場合）から、直径３フィートまたは４フィート（例えば商用空間で利用されるような場合）、直径数十フィート（例えば、スタジアムのような実に大きい場所で利用されるような場合）まででよい。サイクロン触媒ダクト１００は、そのようなすべてのサイズで利用することができる。メインボディ１０２は、金属、プラスチック、同様のもの、またはそれらの組合せを含むがそれらに限定されない任意の数の材料から形成されてよい。
【００１８】
１つまたは複数のマニホールド１０８は、閉端部１０４に隣接するメインボディ１０２から延びてよい。マニホールド１０８は、サイクロン光触媒ダクト１００の中への吸入空気を受けるように適応されてよい。一実施例では、マニホールド１０８は、メインボディ１０２の円周に沿って相互に１２０度離れて配置されてよい。代替として、より多くのまたはより少ないマニホールド１０８がメインボディ１０２の円周に沿って等間隔で（または非等間隔で）配置されてもよい。
【００１９】
図２は、本開示の少なくともいくつかの実施形態に従って構成された、図１の線２−２に沿って取ったサイクロン光触媒ダクト１００の例示的横断面斜視図である。図示された例では、メインボディ１０２は、（例えば、円筒形、楕円形、八角形、または同様のものを含めて）管状形の内側表面２０２を含んでよい。メインボディ１０２は、任意の形状、管状形またはその他の外側表面を含んでよい。光触媒物質の層（図示せず）は、メインボディ１０２の内側表面２０２の少なくとも一部分を被覆することができる。光触媒物質の層として二酸化チタンを利用する実施例では、厚さは、（例えば、粒子のサイズおよび接着方法に応じて２マイクロメートルから１００マイクロメートルまでの範囲の）接着層を作るのに適する可能性のあるものによって決められてよい。本明細書で使用する場合は、用語「光触媒物質」は、揮発性有機化合物（ＶＯＣ）の分解を促進し、バクテリアおよび／またはウィルスの殺菌を促進し、および／または他のタイプの空気伝播汚染物質を分解することができる１つまたは複数の物質を指してよい。そのような光触媒物質は、白金または炭素などのしかしそれらに限定されない元素光触媒、二酸化チタン、酸化亜鉛、または酸化ナトリウムタンタルなどのしかしそれらに限定されない化合物光触媒、ポリ（ｐ−フェニレン）または２，４，６−トリフェニルチアピリリウムなどのしかしそれらに限定されない有機光触媒、同様のもの、またはそれらの組合せを含んでよいがそれらに限定されない。本明細書で使用される場合は、用語「促進すること」または「促進する」は、周囲状態または以前から存在する状態に比べてより速いおよび／またはより大きい活動、発展、進展、前進など（例えば、化合物の分解の速さおよび／または量ならびに／あるいは有機体の殺菌を促進すること）を引き起こすことを指してよい。例えば、光触媒物質の層は、以下の化合物、すなわち二酸化チタン、酸化亜鉛、酸化ナトリウムタンタル、および同様のもの、またはそれらの組合せのうちの１つまたは複数を含んでよい。光触媒物質は、蒸気化学処理（例えば、化学蒸着）、スプレー熱分解、または同様のものによってメインボディ１０２の内側表面２０２上に被覆されてよい。例えば、「Ｐｒｅｐａｒａｔｉｏｎ  ｏｆ  ＴｉＯ２  ｔｈｉｎ  ｆｉｌｍｓ  ｂｙ  ｓｐｒａｙ  ｐｙｒｏｌｙｓｉｓ  ｔｏ  ｂｅ  ｕｓｅｄ  ａｓ  ａ  ｐｈｏｔｏｃａｔａｌｙｓｔ」、ＭＯ  Ａｂｏｕ−Ｈｅｌａｌ、ＷＴ  Ｓｅｅｂｅｒ−Ａｐｐｌｉｅｄ  Ｓｕｒｆａｃｅ  Ｓｃｉｅｎｃｅ、２００２年−Ｅｌｓｅｖｉｅｒにおいて説明されているように、二酸化チタンタイプの光触媒物質がスプレー熱分解によって貼り付けられてよい。代替として、光触媒物質は、メインボディ１０２の内側表面２０２上に接着剤（例えば、３ＭブランドのＧｅｎｅｒａｌ  Ａｄｈｅｓｉｖｅ  ４５または同様のものなどのしかしそれらに限定されないスプレー接着剤）を塗り、この接着剤を粒状または粉末状の光触媒物質で被覆することによって被覆されてよい。
【００２０】
１つまたは複数の角度付き投入ノズル２０４がメインボディ１０２の内側表面２０２上に配置されてよい。単一の角度付き投入ノズル２０４しか例示されていないが、例示されている実施例では、３つの角度付き投入ノズル２０４がメインボディ１０２の円周に沿って配置されてもよいことが図１および図２から理解されるであろう。角度付き投入ノズル２０４は、サイクロン光触媒ダクト１００内にサイクロン気流を引き起こすように構成されてよい。個々の角度付き投入ノズル２０４は、閉端部１０４に隣接する個々のマニホールド１０８と流体連通していてよい。本明細書で使用される場合は、用語「流体連通」は、気体（例えば、空気または同様のもの）の流体連通を含んでよい。角度付き投入ノズル２０４は、マニホールド１０８を介して吸入空気を受け、そのような空気をサイクロン光触媒ダクト１００の中に送り込むように適応されてよい。一実施例では、３つの角度付き投入ノズル２０４が、メインボディ１０２の円周に沿って等間隔で（例えば、メインボディ１０２の円周に沿って相互に１２０度離れて）配置されてよい。代替として、追加のまたはより少ない角度付き投入ノズル２０４がメインボディ１０２の円周に沿って等間隔で（または非等間隔で）配置されてもよい。
【００２１】
例示した実施例では、角度付き投入ノズル２０４はそれぞれ、細長い開口部に直接隣接して配置されたメインボディ１０２の内側表面２０２の一部分に対してほぼ接線方向の気流を送るように調整されたそのような細長い開口部を有してよい。いくつかの実施例では、そのような細長い開口部のサイズは、所望の気流および速度によって決定されてよい。例えば、家庭用ユニットは、差し渡し約１センチメートルから３０センチメートルの細長い開口部を有してよいが、特定の実施形態（例えば、産業アプリケーション用など）に応じてずっと大きいまたはずっと小さい細長い開口部が利用されてもよい。角度付き投入ノズル２０４は、サイクロン光触媒ダクト１００内にサイクロン気流を引き起こすために、内側表面２０２に対してほぼ接線方向の直進的気流を引き起こすように角度付けされてよい。角度付き投入ノズル２０４のそのような角度付けは、内側表面２０２において（ここで例示されているように）開口部から入る非常にフラットな角度で行うことができる。追加としてまたは代替として、角度付き投入ノズル２０４のそのような角度付けは、（図５に示す一実施例において示されているように）、接点（気流が中心からの放射線に対してほぼ垂直に移動する点）に到達するのに十分遠くで気流に入る突き出しノズルを用いて行うことができる。他の実施例では、角度付き投入ノズル２０４は、サイクロン光触媒ダクト１００内にサイクロン気流を引き起こすためにそのような角度付き投入ノズル２０４に直接隣接して配置されたメインボディ１０２の内側表面２０２の一部分に対してほぼ接線方向の気流を送るように構成された他の形状および／またはサイズ（例えば円形、楕円形、または同様のもの）を含んでよい。
【００２２】
紫外線光源２０６は、メインボディ１０２の中に配置されてよい。紫外線光源２０６は、メインボディ１０２の内側表面２０２上に配置された光触媒物質の層の少なくとも一部分を照明するように適応されてよい。本明細書で使用される場合は、用語「紫外線光源」は、紫外線光を出すことができる光源を指してよい。例えば、紫外線光源２０６は、以下のタイプの光源、すなわち、発光ダイオードタイプの紫外線光源、蛍光管タイプの紫外線光源、白熱電球タイプの紫外線光源、蒸気ランプタイプの紫外線光源、および同様のもの、またはそれらの組合せのうちの１つまたは複数を含んでよい。例示した実施例では、紫外線光源２０６は、メインボディ１０２の内側表面２０２に取り付けられた発光ダイオードタイプの紫外線光源を含んでよい。追加としてまたは代替として、紫外線光源２０６は、メインボディ１０２の外部に配置されてもよい。そのような場合には、メインボディ１０２は、透明でもよく、半透明でもよく、紫外線光、同様のもの、またはそれらの組合せを通すために選択された窓を含んでもよい。
【００２３】
動作中、サイクロン触媒ダクト１００は、屋内空気浄化および殺菌のために利用されてよい。そのようなサイクロン触媒ダクト１００は、多分機械室のために追加の空間または建物内に新規のフィルタエリアを追加することなく、既存の空気分配インフラストラクチャと統合されるように適応され得る。さらに、サイクロン触媒ダクト１００は、既存のシステムの流速を維持する（または影響を最小にする）ために、既存の空気分配インフラストラクチャと統合するように適応され得る。
【００２４】
図３は、本開示の少なくともいくつかの実施形態に従って構成された、図１の線２−２に沿って取ったサイクロン光触媒ダクト１００の別の例示的横断面斜視図である。例示した実施例では、紫外線光源２０６は、メインボディ１０２の中に何らかの形の支持構造体（例えば、羽根、支柱、および／または同様のもの）によって吊り下げられてよい。例えば、紫外線光源２０６は、メインボディ１０２の中に吊り下げられた蛍光管タイプの紫外線光源を含んでよい。上記で論じられたように、紫外線光源２０６は、以下のタイプの光源、すなわち、発光ダイオードタイプの紫外線光源、蛍光管タイプの紫外線光源、白熱電球タイプの紫外線光源、蒸気ランプタイプの紫外線光源、および同様のもの、またはそれらの組合せのうちの１つまたは複数を含んでよい。
【００２５】
例示した実施例では、紫外線光源２０６は、メインボディ１０２の内側表面２０２から延びる１つまたは複数の角度付き羽根３０２によって吊り下げられてよい。追加としてまたは代替として、角度付き羽根３０２は、サイクロン光触媒ダクト１００内でサイクロン気流を助けるように構成されてよい。例えば、角度付き羽根３０２は、角度付き羽根３０２の角度が内側表面１０２に関してサイクロン気流の角度とほぼ一致するように調整されてよい。例えば、角度付き羽根３０２は、流れが乱れる前に流れを安定させることによってサイクロン気流を助けるように構成されてよい。角度付き羽根３０２は、金属、プラスチック、同様のもの、またはそれらの組合せを含むがそれらに限定されない任意の数の材料から形成されてよい。
【００２６】
例えば、角度付き羽根３０２は、内側表面１０２から離れて配置されるが開端部１０６における開口部３０８の中心部３０６をふさがない内側縁部３０４を含んでよい。例示した実施例では、蛍光管タイプの紫外線光源２０６は、いくつかのまたはすべての円周点において内側縁部３０４によって支持および／またはそれに接続することによって吊り下げられてよい。そのような構成では、紫外線光源２０６は、メインボディ１０２の内側表面２０２上に配置された光触媒物質の層の少なくとも一部分を照明するように調整されてよい。追加としてまたは代替として、光触媒物質の層（図示せず）は、角度付き羽根３０２の少なくとも一部分を被覆することができる。
【００２７】
追加のまたは代替の角度付き投入ノズルおよび／または角度付き羽根を利用して、全距離にわたって、曲がり角で、およびダクトの分岐（例えば、同軸タイプの管、ＹタイプおよびＴタイプのダクトの分岐）でサイクロン流を維持することができる。そのような実施例では、追加のまたは代替の角度付き投入ノズルおよび／または角度付き羽根（例えば、サイクロン光触媒ダクト１００と構造的に同様のカプリング）を有するカプリングを使用して、サイクロン流を再設定することができ、および／またはダクトの分岐形状の形状（例えば、同軸タイプの管、ＹタイプおよびＴタイプのダクト分岐）を修正して、設定されたサイクロン流に対する影響を最小化するのにより適したものにすることができる。例えば、そのような同軸タイプの管のダクト分岐を利用して、単一の管からの流れを受けることができ、その流れを同軸的に（例えば、第１の中心の気流と第２の周囲の気流とに分けることによって）分割することができる。そのような同軸タイプの管は、サイクロン流に沿って細長い羽根３０２と同様の形状のパイプ（図示せず）を通してなど、鋭角で取り除かれる中心の気流（例えば、非サイクロン気流）を有してよい。
【００２８】
図４は、本開示の少なくともいくつかの実施形態に従って構成された、図１の線２−２に沿って取ったサイクロン光触媒ダクト１００のさらに別の例示的横断面斜視図である。例示した実施例では、角度付き羽根３０２は、メインボディ１０２の中で発光ダイオードタイプの紫外線光源を吊り下げられてよい。例えば、発光ダイオードタイプの紫外線光源２０６は、角度付き羽根３０２の内側縁部３０４によって支持および／またはそれに接続することによって吊り下げられてよい。そのような構成では、紫外線光源２０６は、メインボディ１０２の内側表面２０２上に配置された光触媒物質の層の少なくとも一部分を照明するように調整されてよい。追加としてまたは代替として、光触媒物質の層（図示せず）は、角度付き羽根３０２の少なくとも一部分を被覆することができる。
【００２９】
図５は、本開示の少なくともいくつかの実施形態に従って構成されるサイクロン光触媒ダクトを含む例示的空気分配システム５００を示す図である。例示した実施例では、空気分配システム５００は、１つまたは複数のサイクロン光触媒ダクト１００と流体連通して結合された給気ファン５０２を含んでよい。サイクロン光触媒ダクト１００は、給気ファン５０２の上流または下流に配置されてよい。
【００３０】
空気分配システム５００の実施例は、暖房、換気および空調（ＨＶＡＣ）システム、暖房システム、換気システム、空調システム、および同様のもの、ならびに／あるいはそれらの組合せを含んでよい。そのような空気分配システム５００は、商用建物、病院、食物処理施設、生物学的処理施設、居住用建物、車両（例えば、自動車およびバス）、および同様のものにおいて利用することができる。
【００３１】
サイクロン光触媒ダクト１００は、空気分配システム５００の一部に統合して、（追加のファンまたはノイズを含む）システム全体に対する影響を低減することができる。例えば、空気分配システム５００全体内のほとんどの空気は、空気分配システム５００の中を複数回通ることができ、したがって、どこかの点でサイクロン光触媒ダクト１００にさらされる可能性がある。
【００３２】
一実施例では、１つまたは複数のフィルタ５０４が給気ファン５０２と流体連通して結合されてよい。そのようなフィルタ５０４は、給気ファン５０２と屋外空気源５０６との間に配置されてよい。例えば、フィルタ５０４は、以下のフィルタ、すなわち、高効率粒子空気フィルタ（ＨＥＰＡ）、活性炭フィルタ、高効率ガス吸収フィルタ（ＨＥＧＡ）、超低粒子空気フィルタ（ＵＬＰＡ）、同様のもの、および／またはそれらの組合せのうちの１つまたは複数を含んでよい。
【００３３】
例示した実施例では、空気分配システム５００は、空気分配システム５００に関連する空気不純のレベルを検知するように構成されてよい１つまたは複数のセンサ５０８を含んでよい。例えば、（空気粒子カウンタ、一酸化炭素検出器、ＶＯＣセンサ、同様のもの、またはそれらの組合せなどのしかしそれらに限定されない）１つまたは複数のセンサ５０８は、単独でまたは相互に共同で、揮発性有機化合物、空気粒子、および／または他のタイプの空気伝播汚染物質を含むがそれらに限定されない１つまたは複数の形状の空気不純物を検知するように構成されてよい。
【００３４】
例示した実施例では、空気分配システム５００は、センサ５０８、給気ファン５０２、および／またはサイクロン光触媒ダクト１００に関連する制御ユニット５１０（例えば、図８に示すコンピューティングデバイス８００）を含んでよい。制御ユニット５１０は、サイクロン光触媒ダクト１００に関連する紫外線光レベルを調節し、および／またはセンサ５０８によって検知された空気不純のレベルに少なくとも部分的に基づいて給気ファン５０２に関連する気流を調節するように構成されてよい。
【００３５】
例示した実施例では、サイクロン光触媒ダクト１００は、ガスを所望の回転方向に向けてサイクロン回転を開始するように調節可能でよい角度付き投入ノズル２０４を含んでよい。例えば、制御ユニット５１０は、角度付き投入ノズル２０４の角度を変えて、それによってサイクロン回転の速度を増減することができる角度制御ジョイント５１１の方向を調節することに少なくとも部分的に基づいて気流を調節するように構成されてよい。
【００３６】
図６は、本開示の少なくともいくつかの実施形態に従って構成された空気分配システムの動作のための例示的プロセスを示す図である。例示した実施例では、プロセス６００、および本明細書に記載されている他のプロセスは、ハードウェア、ソフトウェア、および／またはファームウェアによって実行されてよい処理ステップ、機能動作、イベントおよび／または働きなどとして記載されてよい様々な機能ブロックまたは作用を説明する。図６に示す機能ブロックに対する多数の代替実施形態が様々な実施形態において実行されてよいことを当業者は本開示を考慮して理解するであろう。例えば、プロセス６００は、図６に示すように、ブロックまたは動作の１つの特定の順序を含むが、これらのブロックまたは動作が提示されている順序は、必ずしも特許請求の主題をいかなる特定の順序にも限定しない。同様に、図６に示されていない介在動作および／または図６に示されていない追加の動作が使用されてもよく、および／または図６に示されている動作のいくつかは、特許請求の主題の範囲から逸脱することなく、省略されてもよい。プロセス６００は、ブロック６０２、６０４、および／または６０６によって示されている動作のうちの１つまたは複数を含んでよい。
【００３７】
図示したように、プロセス６００は、空気分配システムの動作中ずっと揮発性有機化合物（ＶＯＣ）の管理のために実行されてよい。処理は、動作６０２「揮発性有機化合物のレベルを検知する」から開始してよく、ここで揮発性有機化合物のレベルが検知され得る。例えば、空気分配システムに関連する揮発性有機化合物のレベルが１つまたは複数のセンサによって検知され得る。そのようなセンサは、空気分配システムの中で循環する空気、空気分配システムによって分配された空気、または両方の組合せを監視することができる。
【００３８】
処理は、動作６０２から動作６０４「基準レベルと比較する」まで続いてよく、ここで、検知された揮発性有機化合物のレベルを揮発性有機化合物の基準レベルと比較することができる。本明細書で使用される場合は、用語「基準レベル」は、単一の値、単一の値より上および下の許容範囲（例えば、粒子カウントおよび／または百万分率濃度に少なくとも部分的に基づく許容範囲）に関連する単一の値、または揮発性有機化合物の所望のレベルを表すより複雑な数学的関係を指してよい。
【００３９】
処理は、動作６０４から動作６０６「紫外線光レベルおよび／または気流を調節する」まで続いてよく、ここで、紫外線光レベルおよび／または気流は、揮発性有機化合物の検知されたレベルの揮発性有機化合物の基準レベルとの比較に少なくとも部分的に基づいて調節され得る。例えば、揮発性有機化合物の検知されたレベルが、ターゲットレベルに関して望ましくなくおよび／または不健康に高いと判定された場合は、紫外線光レベルが上げられてもよく、気流が低減されてもよく、または両方が行われてもよい。同様に、揮発性有機化合物の検知されたレベルがターゲットレベルより低いと判定された場合は、紫外線光レベルが下げられてもよく、気流が増大されてもよく、または両方が行われてもよい。
【００４０】
追加としてまたは代替として、プロセス６００は、空気分配システムの中を循環する空気のユニットがサイクロン光触媒ダクトに対して有していた露出レベルを判定することができる。動作６０６において、ここでは紫外線光レベルおよび／または気流調節することができるが、そのような調節は、追加としてまたは代替として、そのような判定された露出レベルに少なくとも部分的に基づいてよい。例えば、そのような判定された露出レベルは、空気のユニットが時間または同様のものの間中にサイクロン光触媒ダクトの中を通った回数の推定に少なくとも部分的に基づいてよい。動作６０６において、ここでは紫外線光レベルおよび／または気流を調節することができるが、そのような調節は、追加としてまたは代替として、占有者の使用パターン（例えば、実際の使用または予測される使用）に少なくとも部分的に基づいてよい。例えば、占有者のそのような使用パターンは、夜間オフィスでより低い紫外線光レベルおよび／または気流が一晩中かけて朝人々にきれいな空気を提供することが許容可能であり得ることを示してよく、一方日中は、占有者のそのような使用パターンは、より高い紫外線光レベルおよび／または気流が最大使用中にきれいな空気を維持することが許容可能であり得ることを示してよい。
【００４１】
図７は、本開示の少なくともいくつかの実施形態に従って構成された例示的コンピュータプログラム製品７００を示す。コンピュータプログラム製品７００は、信号担持媒体７０２を含んでよい。信号担持媒体７０２は、１つまたは複数のプロセッサによって実行される場合、コンピューティングデバイスが図６に関して上記で説明した機能を提供することを動作的に可能にすることができる１つまたは複数の機械可読命令７０４を含んでよい。したがって、例えば、図５のシステムを参照すると、空気分配システム５００は、媒体７０２によって搬送された命令７０４に応答して図６に示されている動作のうちの１つまたは複数を引き受けることができる。
【００４２】
いくつかの実装形態では、信号担持媒体７０２は、ハードディスクドライブ、コンパクトディスク（ＣＤ）、デジタルビデオディスク（ＤＶＤ）、デジタルテープ、メモリなどのしかしそれらに限定されないコンピュータ可読媒体７０６を包含してよい。いくつかの実装形態では、信号担持媒体７０２は、メモリ、読出し／書込み（Ｒ／Ｗ）ＣＤ、Ｒ／Ｗ  ＤＶＤなどのしかしそれらに限定されない記録可能媒体７０８を包含してよい。いくつかの実装形態では、信号担持媒体７０２は、デジタル通信媒体および／またはアナログ通信媒体（例えば、光ファイバケーブル、導波管、有線通信リンク、無線通信リンクなど）などのしかしそれらに限定されない通信媒体７１０を包含してよい。
【００４３】
図８は、本開示の少なくともいくつかの実施形態に従って構成された例示的コンピューティングデバイス８００を示すブロック図である。１つの例示的基本構成８０１では、コンピューティングデバイス８００は、１つまたは複数のプロセッサ８１０およびシステムメモリ８２０を含んでよい。プロセッサ８１０とシステムメモリ８２０との間の通信のためにメモリバス８３０を使用することができる。
【００４４】
所望の構成に応じて、プロセッサ８１０は、マイクロプロセッサ（μＰ）、マイクロコントローラ（μＣ）、デジタル信号プロセッサ（ＤＳＰ）、またはそれらの任意の組合せを含むがそれらに限定されないいかなるタイプのものでもよい。プロセッサ８１０は、レベル１キャッシュ８１１、レベル２キャッシュ８１２などの１つまたは複数のレベルのキャッシング、プロセッサコア８１３、およびレジスタ８１４を含んでよい。プロセッサコア８１３は、算術論理ユニット（ＡＬＵ）、浮動小数点ユニット（ＦＰＵ）、デジタル信号処理コア（ＤＳＰコア）、またはそれらの任意の組合せを含んでよい。プロセッサ８１０と共にメモリコントローラ８１５を使用することもでき、または、いくつかの実装形態では、メモリコントローラ８１５はプロセッサ８１０の内部部分でもよい。
【００４５】
所望の構成に応じて、システムメモリ８２０は、揮発性メモリ（ＲＡＭなど）、不揮発性メモリ（ＲＯＭ、フラッシュメモリなど）またはそれらの任意の組合せを含むがそれらに限定されないいかなるタイプのものでもよい。システムメモリ８２０は、オペレーティングシステム８２１、１つまたは複数のアプリケーション８２２、およびプログラムデータ８２４を含んでよい。アプリケーション８２２は、図６のプロセス６００に関して説明された機能ブロック、作用、および／または動作を含めて本明細書に記載の機能、作用、および／または動作を実行するように構成されてよい揮発性有機化合物（ＶＯＣ）アルゴリズム８２３を含んでよい。プログラムデータ８２４は、ＶＯＣアルゴリズム８２３で使用するためのＶＯＣデータ８２５を含んでよい。いくつかの例示的実施形態では、アプリケーション８２２は、本明細書に記載されているように空気分配システムの動作中に揮発性有機化合物の管理の実行を提供することができるようにオペレーティングシステム８２１上のプログラムデータ８２４によって動作するように構成されてよい。この説明された基本構成は、破線８０１の中の構成要素によって図８に示されている。
【００４６】
コンピューティングデバイス８００は、追加の特徴または機能、および基本構成８０１と任意の必要とされるデバイスおよびインターフェースとの間の通信を容易にするための追加のインターフェースを有してよい。例えば、バス／インターフェースコントローラ８４０を使用して、ストレージインターフェースバス８４１を介しての基本構成８０１と１つまたは複数のデータ記憶装置８５０との間の通信を容易にすることができる。データストレージデバイス８５０は、取外し可能な記憶装置８５１、取外し不可能な記憶装置８５２、またはそれらの組合せでよい。取外し可能なストレージおよび取外し不可能な記憶装置の例には、少数の例を挙げれば、フレキシブルディスクドライブおよびハードディスクドライブ（ＨＤＤ）などの磁気ディスクドライブ、コンパクトディスク（ＣＤ）ドライブまたはデジタル多用途ディスク（ＤＶＤ）ドライブなどの光ディスクドライブ、ソリッドステートドライブ（ＳＳＤ）、ならびにテープドライブなどがある。例示的コンピュータ記憶媒体は、コンピュータ可読命令、データ構造、プログラムモジュール、または他のデータなどの情報の記憶のための任意の方法または技術で実装される揮発性および不揮発性、取外し可能なおよび取外し不可能な媒体を含んでよい。
【００４７】
システムメモリ８２０、取外し可能なストレージ８５１および取外し不可能なストレージ８５２は、すべてコンピュータ記憶媒体の例である。コンピュータ記憶媒体は、ＲＡＭ、ＲＯＭ、ＥＥＰＲＯＭ、フラッシュメモリもしくは他のメモリ技術、ＣＤ−ＲＯＭ、デジタル多用途ディスク（ＤＶＤ）もしくは他の光ストレージ、磁気カセット、磁気テープ、磁気ディスクストレージもしくは他の磁気記憶装置、または所望の情報を記憶するために使用されることが可能であり、コンピューティングデバイス８００によってアクセスされることが可能である任意の他の媒体を含むがそれらに限定されない。そのようなコンピュータ記憶媒体はいずれもデバイス８００の一部分でよい。
【００４８】
コンピューティングデバイス８００はまた、様々なインターフェースデバイス（例えば、出力インターフェース、および通信インターフェース）からバス／インターフェースコントローラ８４０を介して基本構成８０１への通信を容易にするためのインターフェースバス８４２を含んでよい。例示的出力インターフェース８６０は、１つまたは複数のＡ／Ｖポート８６３を介してディスプレイまたはスピーカなどの様々な外部デバイスに通信するように構成されてよいグラフィック処理ユニット８６１およびオーディオ処理ユニット８６２を含んでよい。例示的周辺インターフェース８７０は、１つまたは複数のＩ／Ｏポート８７３を介して、入力デバイス（例えば、キーボード、マウス、ペン、音声入力デバイス、タッチ入力デバイスなど）または他の周辺デバイス（例えば、プリンタ、スキャナなど）などの外部デバイスと通信するように構成されてよいシリアルインターフェースコントローラ８７１またはパラレルインターフェースコントローラ８７２を含んでよい。例示的通信インターフェース８８０は、１つまたは複数の通信ポート８８２を介してのネットワーク通信を使用して１つまたは複数の他のコンピューティングデバイス８９０との通信を容易にするように構成されてよいネットワークコントローラ８８１を含む。通信接続は、通信媒体の一例である。通信媒体は、通常、コンピュータ可読命令、データ構造、プログラムモジュール、または搬送波または他のトランスポート機構などの変調データ信号内の他のデータによって実施されてよく、任意の情報配信媒体を含んでよい。「変調データ信号」は、信号内の情報を符号化するようなやり方で設定または変更されたその特性のうちの１つまたは複数を有する信号でよい。例として、限定としてではなく、通信媒体は、有線ネットワークまたは直接有線接続などの有線媒体、ならびに音響媒体、無線周波数（ＲＦ）媒体、赤外線（ＩＲ）媒体および他の無線媒体などの無線媒体を含んでよい。本明細書で使用される場合は、用語、コンピュータ可読媒体は、記憶媒体および通信媒体の両方を含んでよい。
【００４９】
コンピューティングデバイス８００は、セルフォン、携帯情報端末（ＰＤＡ）、パーソナルメディアプレーヤデバイス、無線ウェブウォッチデバイス、パーソナルヘッドセットデバイス、特定用途向けデバイス、または上記の機能のうちのいずれかを含むハイブリッドデバイスなどのスモールフォームファクタポータブル（またはモバイル）電子デバイスの一部として実装されてよい。コンピューティングデバイス８００はまた、ラップトップコンピュータおよび非ラップトップコンピュータの両方の構成を含むパーソナルコンピュータとして実装されてもよい。さらに、コンピューティングデバイス８００は、無線基地局または他の無線システムもしくはデバイスの一部分として実装されてもよい。
【００５０】
前述の詳細な説明のいくつかの部分は、コンピュータメモリなどのコンピューティングシステムメモリの中に記憶されているデータビットまたはバイナリデジタル信号に対する動作のアルゴリズムまたは記号表現によって提示される。これらのアルゴリズム的説明または表現は、データ処理技術分野において当業者が自分の作業の内容を他の当業者に伝えるために使用する技法の例である。アルゴリズムは、ここでは、および一般的には、所望の結果につながる首尾一貫した一連の動作または同様の処理と見なされる。この文脈では、動作または処理は、物理的量の物理的操作を必要とする。通常、必ずしもではないが、そのような量は、記憶、伝送、結合、比較またはその他の方法で操作されることが可能な電気信号または磁気信号の形を取ってよい。そのような信号をビット、データ、値、要素、記号、文字、用語、数、数字または同様のものと呼ぶことが主に一般的使用のために好都合であることが時に示されてきた。しかし、これらのおよび同様の用語はすべて適切な物理的量に関連付けられるべきであり、便利なラベルにすぎないことを理解されたい。別途明記されていない限り、以下の議論から明らかなように、本明細書全体にわたって、「処理する」、「計算する」、「算出する」、「判定する」または同様のものなどの用語を利用する議論は、コンピューティングデバイスのメモリ、レジスタ、もしくは他の情報記憶装置、送信装置、または表示装置の中の物理的電子量もしくは磁気量として表されたデータを操作するまたは変換するコンピューティングデバイスの動作またはプロセスを指すことが理解される。
【００５１】
前述の詳細な説明は、ブロック図、流れ図、および／または実施例の使用によってデバイスおよび／またはプロセスの様々な実施形態を説明している。そのようなブロック図、流れ図、および／または実施例が１つまたは複数の機能および／または動作を含む限りでは、そのようなブロック図、流れ図、または実施例の中の各機能および／または動作は、多種多様なハードウェア、ソフトウェア、ファームウェア、またはそれらの事実上任意の組合せによって別々におよび／またはまとめて実行されてよいことが当業者によって理解されるであろう。いくつかの実施形態では、本明細書に記載の主題のいくつかの部分は、特定用途向け集積回路（ＡＳＩＣ）、フィールドプログラマブルゲートアレイ（ＦＰＧＡ）、デジタル信号プロセッサ（ＤＳＰ）、または他の統合フォーマットによって実行されてもよい。しかし、本明細書で開示される諸実施形態のいくつかの態様は、全体にまたは部分的に、集積回路において、１つまたは複数のコンピュータ上で動作する１つまたは複数のコンピュータプログラムとして（例えば、１つまたは複数のコンピュータシステム上で動作する１つまたは複数のプログラムとして）、１つまたは複数のプロセッサ上で動作する１つまたは複数のプログラムとして（例えば、１つまたは複数のマイクロプロセッサ上で動作する１つまたは複数のプログラムとして）、ファームウェアとして、またはそれらの事実上任意の組合せとして同等に実行されてよいこと、ならびに回路を設計することおよび／またはソフトウェアおよび／またはファームウェアのためのコードを書くことは、本開示を考慮して十分に当業者の技能の範囲内にあるであろうことを当業者は理解するであろう。さらに、本明細書に記載の主題の機構は、様々な形のプログラム製品として配布されることが可能であること、および本明細書に記載の本主題の例示的実施形態は、配布を実際に実行するために使用される特定のタイプの信号担持媒体に関係なく適用されることを当業者は理解するであろう。信号担持媒体の例は、下記のもの、すなわち、フレキシブルディスク、ハードディスクドライブ（ＨＤＤ）、コンパクトディスク（ＣＤ）、デジタルビデオディスク（ＤＶＤ）、デジタルテープ、コンピュータメモリなどの記録可能タイプの媒体、ならびにデジタルおよび／またはアナログ通信媒体（例えば、光ファイバケーブル、導波管、有線通信リンク、無線通信リンクなど）などの伝送タイプの媒体を含むがそれらに限定されない。
【００５２】
本明細書に記載された主題は、様々なコンポーネントをしばしば例示しており、これらのコンポーネントは、他の様々なコンポーネントに包含されるか、または他の様々なコンポーネントに接続される。そのように図示されたアーキテクチャは、単に例にすぎず、実際には、同じ機能を実現する多くの他のアーキテクチャが実装可能であることが理解されよう。概念的な意味で、同じ機能を実現するコンポーネントの任意の構成は、所望の機能が実現されるように効果的に「関連付け」される。したがって、特定の機能を実現するために組み合わされた、本明細書における任意の２つのコンポーネントは、アーキテクチャまたは中間のコンポーネントにかかわらず、所望の機能が実現されるように、お互いに「関連付け」されていると見ることができる。同様に、そのように関連付けされた任意の２つのコンポーネントは、所望の機能を実現するために、互いに「動作可能に接続」または「動作可能に結合」されていると見なすこともでき、そのように関連付け可能な任意の２つのコンポーネントは、所望の機能を実現するために、互いに「動作可能に結合できる」と見なすこともできる。動作可能に結合できる場合の具体例には、物理的にかみ合わせ可能な、および／もしくは物理的に相互作用するコンポーネント、ならびに／またはワイヤレスに相互作用可能な、および／もしくはワイヤレスに相互作用するコンポーネント、ならびに／または論理的に相互作用する、および／もしくは論理的に相互作用可能なコンポーネントが含まれるが、それらに限定されない。
【００５３】
本明細書における実質的にすべての複数形および／または単数形の用語の使用に対して、当業者は、状況および／または用途に適切なように、複数形から単数形に、および／または単数形から複数形に変換することができる。様々な単数形／複数形の置き換えは、理解しやすいように、本明細書で明確に説明することができる。
【００５４】
通常、本明細書において、特に添付の特許請求の範囲（たとえば、添付の特許請求の範囲の本体部）において使用される用語は、全体を通じて「オープンな（ｏｐｅｎ）」用語として意図されていることが、当業者には理解されよう（例えば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されない（ｉｎｃｌｕｄｅｓ  ｂｕｔ  ｉｓ  ｎｏｔ  ｌｉｍｉｔｅｄ  ｔｏ）」と解釈されるべきである、など）。導入される請求項で具体的な数の記載が意図される場合、そのような意図は、当該請求項において明示的に記載されることになり、そのような記載がない場合、そのような意図は存在しないことが、当業者にはさらに理解されよう。例えば、理解の一助として、添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」を使用して請求項の記載を導くことを含む場合がある。しかし、そのような句の使用は、同一の請求項が、導入句「１つまたは複数の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む発明に限定する、ということを示唆していると解釈されるべきではない（例えば、「ａ」および／または「ａｎ」は、通常、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載されている場合でも、そのような記載は、通常、少なくとも記載された数を意味すると解釈されるべきであることが、当業者には理解されよう（例えば、他の修飾語なしでの「２つの記載（ｔｗｏ  ｒｅｃｉｔａｔｉｏｎｓ）」の単なる記載は、通常、少なくとも２つの記載、または２つ以上の記載を意味する）。さらに、「Ａ、ＢおよびＣ、などの少なくとも１つ」に類似の慣例表現が使用されている事例では、通常、そのような構文は、当業者がその慣例表現を理解するであろう意味で意図されている（例えば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。「Ａ、Ｂ、またはＣ、などの少なくとも１つ」に類似の慣例表現が使用されている事例では、通常、そのような構文は、当業者がその慣例表現を理解するであろう意味で意図されている（例えば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシス���ムを含むが、それに限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。例えば、句「ＡまたはＢ」は、「Ａ」または「Ｂ」あるいは「ＡおよびＢ」の可能性を含むことが理解されよう。
【００５５】
本明細書では、いくつかの例示的技法が様々な方法およびシステムを使用して説明され示されてきたが、特許請求の主題から逸脱することなく、様々な他の修正がなされてもよく、同等物が置換されてもよいことを当業者は理解するはずである。さらに、本明細書に記載の中心概念から逸脱することなく、特許請求の主題の教示に対して特定の状況に適応するために多くの修正がなされてもよい。したがって、特許請求の主題は開示された特定の実施例に限定されるのではなく、そのような特許請求の主題はまた、添付の特許請求の範囲の範囲内に入るすべての実施形態およびそれらの同等物を含んでもよいことが意図される。
【図１】
2013541373.tif 000003
【図２】
2013541373.tif 000004
【図３】
2013541373.tif 000005
【図４】
2013541373.tif 000006
【図５】
2013541373.tif 000007
【図６】
2013541373.tif 000008
【図７】
2013541373.tif 000009
【図８】
2013541373.tif 000010
【国際調査報告】
2013541373.tif 000011
2013541373.tif 000012
2013541373.tif 000013
2013541373.tif 000014